(57)【要約】【課題】監視精度を向上し、監視対象を大幅に拡大すること。【解決手段】アンテナ１０２は、中心周波数ｆ０を有する周波数帯域の信号を受信する。パイロット信号生成部１１２は、受信信号の周波数帯域の中心周波数ｆ０と同一の中心周波数ｆ０を有するパイロット信号を生成する。ミキサ１１０は、受信信号の特定帯域のみを通過させる帯域制限フィルタ１０８を通過した受信信号とパイロット信号とを混合する。低雑音増幅器１１４は、パイロット信号と混合された受信信号を増幅する。分配部１１６は、増幅された受信信号を分配する。パイロット信号抽出部１１８は、分配された受信信号の一方からパイロット信号に対応する信号成分を抽出する。利得判定部１２０は、抽出された信号成分の利得を測定し、測定された利得を所定の閾値と比較して、低雑音増幅器１１４の異常を検出する。【選択図】　　　図１
2004112245.tif 000002
【特許請求の範囲】
【請求項１】
受信装置内の被監視部の異常を監視する受信装置用異常監視装置であって、
受信信号の周波数帯域内に中心周波数を有するパイロット信号を生成する生成手段と、
前記生成手段によって生成されたパイロット信号と受信信号とを混合する混合手段と、
前記混合手段の出力を入力した被監視部の出力から前記パイロット信号に対応する信号成分を抽出する抽出手段と、
前記抽出手段によって抽出された信号成分に基づいて被監視部が異常か否かを判定する判定手段と、
を有することを特徴とする受信装置用異常監視装置。
【請求項２】
受信信号の特定帯域のみを通過させるフィルタ手段、をさらに有し、
前記生成手段は、
前記特定帯域内に中心周波数を有するパイロット信号を生成する、
ことを特徴とする請求項１記載の受信装置用異常監視装置。
【請求項３】
前記生成手段は、
受信信号の周波数帯域の中心周波数と同一の中心周波数を有するパイロット信号を生成する、
ことを特徴とする請求項１記載の受信装置用異常監視装置。
【請求項４】
受信信号の周波数帯域内に中心周波数を有するパイロット信号を生成する生成手段と、
前記生成手段によって生成されたパイロット信号と受信信号とを混合する混合手段と、
前記混合手段の出力に対して所定の信号処理を行う信号処理手段と、
前記信号処理手段の出力から前記パイロット信号に対応する信号成分を抽出する抽出手段と、
前記抽出手段によって抽出された信号成分に基づいて前記信号処理手段が異常か否かを判定する判定手段と、
を有することを特徴とする受信装置用異常監視装置。
【請求項５】
受信信号の周波数帯域内に中心周波数を有するパイロット信号を生成する生成手段と、
前記生成手段によって生成されたパイロット信号と受信信号とを混合する混合手段と、
前記混合手段の出力に対して所定の信号処理を行う第１信号処理手段と、
前記第１信号処理手段の出力から前記パイロット信号に対応する信号成分を抽出する第１抽出手段と、
前記第１抽出手段によって抽出された信号成分に基づいて前記第１信号処理手段が異常か否かを判定する第１判定手段と、
前記第１信号処理手段の出力に対して所定の信号処理を行う第２信号処理手段と、
前記第２信号処理手段の出力から前記パイロット信号に対応する信号成分を抽出する第２抽出手段と、
前記第２抽出手段によって抽出された信号成分に基づいて前記第２信号処理手段が異常か否かを判定する第２判定手段と、
を有することを特徴とする受信装置用異常監視装置。
【請求項６】
受信信号の周波数帯域内に中心周波数を有するパイロット信号を生成する生成手段と、
前記生成手段によって生成されたパイロット信号と受信信号とを混合する混合手段と、
前記混合手段の出力に対して所定の信号処理を行う第１信号処理手段と、
前記第１信号処理手段の出力から前記パイロット信号に対応する信号成分を抽出する第１抽出手段と、
前記第１抽出手段によって抽出された信号成分に基づいて前記第１信号処理手段が異常か否かを判定する第１判定手段と、
前記第１信号処理手段の出力を中間周波数に変換する周波数変換手段と、
前記周波数変換手段の出力に対して所定の信号処理を行う第２信号処理手段と、
前記第２信号処理手段の出力から前記パイロット信号に対応する信号成分を抽出する第２抽出手段と、
前記第２抽出手段によって抽出された信号成分に基づいて前記第２信号処理手段が異常か否かを判定する第２判定手段と、
を有することを特徴とする受信装置用異常監視装置。
【請求項７】
受信装置内の被監視部の異常を監視する受信装置用異常監視方法であって、
受信信号の周波数帯域内に中心周波数を有するパイロット信号を生成する生成ステップと、
前記生成ステップで生成したパイロット信号と受信信号とを混合する混合ステップと、
前記混合ステップでの出力を入力した被監視部の出力から前記パイロット信号に対応する信号成分を抽出する抽出ステップと、
前記抽出ステップで抽出した信号成分に基づいて被監視部が異常か否かを判定する判定ステップと、
を有することを特徴とする受信装置用異常監視方法。
【発明の詳細な説明】
【０００１】
【発明の属する技術分野】
本発明は、受信装置用異常監視装置および方法に関する。
【０００２】
【従来の技術】
たとえば、移動体通信システムに用いられる基地局装置は、一般に屋内外に分離して設置されており、アンテナで受信した信号を屋外受信部内の低雑音増幅器で増幅し、増幅した受信信号を同軸ケーブルなどの伝送媒体を介して復調部などを含む屋内の主装置に伝送する。屋内の主装置に伝送された受信信号は、復調部で復調される。このような基地局装置において、屋外受信部内の低雑音増幅器の異常（故障を含む。以下同様）を監視する方法としては、パイロット信号を用いる方法が知られている（たとえば、特許文献１参照）。
【０００３】
この方法では、受信信号の周波数帯域外でかつ受信信号の特定帯域のみを通過させる帯域制限フィルタの制限帯域内に中心周波数を有するパイロット信号を生成し、生成したパイロット信号と受信信号とをミキサで混合する。そして、ミキサの出力を低雑音増幅器で増幅し、得られた信号からパイロット信号成分を分波器で分波する。そして、分波したパイロット信号成分の利得を測定し、測定した利得を所定の閾値と比較することによって、屋外受信部内の低雑音増幅器の異常を検出するようにしていた。
【０００４】
【特許文献１】
特開平５−１２２１７０号公報
【０００５】
【発明が解決しようとする課題】
しかしながら、従来の異常監視方法においては、パイロット信号の中心周波数が受信信号の周波数帯域外にあるため、低雑音増幅器の利得の監視は、受信信号の周波数帯域外で行われ、屋外受信部内の低雑音増幅器の周波数特性に依存しているという問題がある。換言すれば、低雑音増幅器の周波数特性によってはパイロット信号の利得と受信信号の利得とが必ずしも一致しないため、異常監視の精度には一定の限界があった。
【０００６】
また、従来の異常監視方法においては、パイロット信号の中心周波数が帯域制限フィルタの制限帯域内にあるため、パイロット信号は帯域制限フィルタにより除去されてしまう。したがって、たとえば、分波器の前段に帯域制限フィルタが配置された場合、パイロット信号を用いて異常監視を行うことができなかった。また、無線周波数を中間周波数に変換する際は通常帯域制限フィルタを使用するため、帯域制限フィルタ通過後の中間周波数帯での異常の監視を行うこともできなかった。すなわち、パイロット信号を用いて異常を監視しうる場所（監視対象）について、大きな制約があった。
【０００７】
本発明は、かかる点に鑑みてなされたものであり、監視精度を向上することができ、かつ、監視対象を大幅に拡大することができる受信装置用異常監視装置および方法を提供することを目的とする。
【０００８】
【課題を解決するための手段】
本発明の受信装置用異常監視装置は、受信装置内の被監視部の異常を監視する受信装置用異常監視装置であって、受信信号の周波数帯域内に中心周波数を有するパイロット信号を生成する生成手段と、前記生成手段によって生成されたパイロット信号と受信信号とを混合する混合手段と、前記混合手段の出力を入力した被監視部の出力から前記パイロット信号に対応する信号成分を抽出する抽出手段と、前記抽出手段によって抽出された信号成分に基づいて被監視部が異常か否かを判定する判定手段と、を有する構成を採る。
【０００９】
この構成によれば、受信信号の周波数帯域内に中心周波数を有するパイロット信号を生成して受信信号と混合し、この混合結果を入力した被監視部の出力からパイロット信号に対応する信号成分を抽出し、抽出した信号成分に基づいて被監視部が異常か否かを判定する、つまり、受信信号の周波数帯域内に中心周波数を有するパイロット信号を用いて被監視部に対する異常監視を行うため、パイロット信号を用いた異常監視を受信信号の周波数帯域内で行うことができ、たとえば、低雑音増幅器を被監視部とした場合、異常監視が低雑音増幅器の周波数特性に依存するということがなくなり、監視精度を向上することができる。また、被監視部は低雑音増幅器に限定されないため、監視対象を大幅に拡大することができる。
【００１０】
本発明の受信装置用異常監視装置は、上記構成において、受信信号の特定帯域のみを通過させるフィルタ手段、をさらに有し、前記生成手段は、前記特定帯域内に中心周波数を有するパイロット信号を生成する、構成を採る。
【００１１】
この構成によれば、受信信号の特定帯域のみを通過させるフィルタ手段を設けた場合、この特定帯域内に中心周波数を有するパイロット信号を生成する、つまり、パイロット信号の中心周波数は常にフィルタ手段通過後の受信信号の周波数帯域内にあるため、パイロット信号はフィルタ手段により除去されず、フィルタ手段の後段でもパイロット信号に対応する信号成分を抽出することができ、フィルタ手段の後段でも被監視部に対する異常監視を行うことができる。
【００１２】
本発明の受信装置用異常監視装置は、上記構成において、前記生成手段は、受信信号の周波数帯域の中心周波数と同一の中心周波数を有するパイロット信号を生成する、構成を採る。
【００１３】
この構成によれば、受信信号の周波数帯域の中心周波数と同一の中心周波数を有するパイロット信号を生成するため、受信信号を復調した後にパイロット信号に対応する信号成分を除去することが可能になり、パイロット信号が妨害波として受信信号に対してもたらす弊害を除去することができ、パイロット信号を利用することによる受信感度への影響をなくすことができる。
【００１４】
本発明の受信装置用異常監視装置は、受信信号の周波数帯域内に中心周波数を有するパイロット信号を生成する生成手段と、前記生成手段によって生成されたパイロット信号と受信信号とを混合する混合手段と、前記混合手段の出力に対して所定の信号処理を行う信号処理手段と、前記信号処理手段の出力から前記パイロット信号に対応する信号成分を抽出する抽出手段と、前記抽出手段によって抽出された信号成分に基づいて前記信号処理手段が異常か否かを判定する判定手段と、を有する構成を採る。
【００１５】
この構成によれば、受信信号の周波数帯域内に中心周波数を有するパイロット信号を生成して受信信号に混合し、この混合結果に対して信号処理手段で所定の信号処理（たとえば、信号の増幅、混合、生成など）を行い、この信号処理手段の出力からパイロット信号に対応する信号成分を抽出し、抽出した信号成分に基づいて信号処理手段が異常か否かを判定する、つまり、受信信号の周波数帯域内に中心周波数を有するパイロット信号を用いて信号処理手段に対する異常監視を行うため、パイロット信号を用いた異常監視を受信信号の周波数帯域内で行うことができ、信号処理手段の周波数特性に依存することなく、監視精度を向上することができる。また、信号処理手段は低雑音増幅器に限定されないため、監視対象を大幅に拡大することができる。
【００１６】
本発明の受信装置用異常監視装置は、受信信号の周波数帯域内に中心周波数を有するパイロット信号を生成する生成手段と、前記生成手段によって生成されたパイロット信号と受信信号とを混合する混合手段と、前記混合手段の出力に対して所定の信号処理を行う第１信号処理手段と、前記第１信号処理手段の出力から前記パイロット信号に対応する信号成分を抽出する第１抽出手段と、前記第１抽出手段によって抽出された信号成分に基づいて前記第１信号処理手段が異常か否かを判定する第１判定手段と、前記第１信号処理手段の出力に対して所定の信号処理を行う第２信号処理手段と、前記第２信号処理手段の出力から前記パイロット信号に対応する信号成分を抽出する第２抽出手段と、前記第２抽出手段によって抽出された信号成分に基づいて前記第２信号処理手段が異常か否かを判定する第２判定手段と、を有する構成を採る。
【００１７】
この構成によれば、受信信号の周波数帯域内に中心周波数を有するパイロット信号を生成して受信信号に混合し、この混合結果に対して第１信号処理手段で所定の信号処理を行い、この第１信号処理手段の出力からパイロット信号に対応する信号成分を抽出し、抽出した信号成分に基づいて第１信号処理手段が異常か否かを判定し、さらに、第１信号処理手段の出力に対して第２信号処理手段で所定の信号処理を行い、この第２信号処理手段の出力からパイロット信号に対応する信号成分を抽出し、抽出した信号成分に基づいて第２信号処理手段が異常か否かを判定する、つまり、受信信号の周波数帯域内に中心周波数を有するパイロット信号を用いて複数の信号処理手段に対する異常監視を同時に行うため、パイロット信号を用いた異常監視を受信信号の周波数帯域内で行うことができ、各信号処理手段の周波数特性に依存することなく、監視精度を向上することができるとともに、異なる複数の信号処理手段のおのおのに対して異常監視を行うことができ、信号処理手段が低雑音増幅器に限定されないことと相俟って、監視対象を大幅に拡大することができる。
【００１８】
本発明の受信装置用異常監視装置は、受信信号の周波数帯域内に中心周波数を有するパイロット信号を生成する生成手段と、前記生成手段によって生成されたパイロット信号と受信信号とを混合する混合手段と、前記混合手段の出力に対して所定の信号処理を行う第１信号処理手段と、前記第１信号処理手段の出力から前記パイロット信号に対応する信号成分を抽出する第１抽出手段と、前記第１抽出手段によって抽出された信号成分に基づいて前記第１信号処理手段が異常か否かを判定する第１判定手段と、前記第１信号処理手段の出力を中間周波数に変換する周波数変換手段と、前記周波数変換手段の出力に対して所定の信号処理を行う第２信号処理手段と、前記第２信号処理手段の出力から前記パイロット信号に対応する信号成分を抽出する第２抽出手段と、前記第２抽出手段によって抽出された信号成分に基づいて前記第２信号処理手段が異常か否かを判定する第２判定手段と、を有する構成を採る。
【００１９】
この構成によれば、受信信号の周波数帯域内に中心周波数を有するパイロット信号を生成して受信信号に混合し、この混合結果に対して第１信号処理手段で所定の信号処理を行い、この第１信号処理手段の出力からパイロット信号に対応する信号成分を抽出し、抽出した信号成分に基づいて第１信号処理手段が異常か否かを判定し、さらに、第１信号処理手段の出力を中間周波数に変換した後、この周波数変換結果に対して第２信号処理手段で所定の信号処理を行い、この第２信号処理手段の出力からパイロット信号に対応する信号成分を抽出し、抽出した信号成分に基づいて第２信号処理手段が異常か否かを判定する、つまり、受信信号の周波数帯域内に中心周波数を有するパイロット信号を用いて複数の信号処理手段に対する異常監視を同時に行うため、パイロット信号を用いた異常監視を受信信号の周波数帯域内で行うことができ、各信号処理手段の周波数特性に依存することなく、監視精度を向上することができるとともに、異なる複数の信号処理手段のおのおのに対して異常監視を行うことができ、信号処理手段が低雑音増幅器に限定されないことと相俟って、監視対象を大幅に拡大することができる。しかも、その際、中間周波数に変換された後においても異常監視を行うことができる。
【００２０】
本発明の受信装置用異常監視方法は、受信装置内の被監視部の異常を監視する受信装置用異常監視方法であって、受信信号の周波数帯域内に中心周波数を有するパイロット信号を生成する生成ステップと、前記生成ステップで生成したパイロット信号と受信信号とを混合する混合ステップと、前記混合ステップでの出力を入力した被監視部の出力から前記パイロット信号に対応する信号成分を抽出する抽出ステップと、前記抽出ステップで抽出した信号成分に基づいて被監視部が異常か否かを判定する判定ステップと、を有するようにした。
【００２１】
この方法によれば、受信信号の周波数帯域内に中心周波数を有するパイロット信号を生成して受信信号と混合し、この混合結果を入力した被監視部の出力からパイロット信号に対応する信号成分を抽出し、抽出した信号成分に基づいて被監視部が異常か否かを判定する、つまり、受信信号の周波数帯域内に中心周波数を有するパイロット信号を用いて被監視部に対する異常監視を行うため、パイロット信号を用いた異常監視を受信信号の周波数帯域内で行うことができ、たとえば、低雑音増幅器を被監視部とした場合、異常監視が低雑音増幅器の周波数特性に依存するということがなくなり、監視精度を向上することができる。また、被監視部は低雑音増幅器に限定されないため、監視対象を大幅に拡大することができる。
【００２２】
【発明の実施の形態】
本発明の骨子は、パイロット信号を用いた異常監視において、受信信号の周波数帯域内に中心周波数を有するパイロット信号を使用することである。
【００２３】
以下、本発明の実施の形態について、図面を参照して詳細に説明する。
【００２４】
（実施の形態１）
図１は、本発明の実施の形態１に係る基地局装置の構成を示すブロック図である。
【００２５】
図１に示す基地局装置１００は、アンテナ１０２、屋外受信部１０４および利得監視部１０６を備えており、アンテナ１０２の出力は屋外受信部１０４に入力され、屋外受信部１０４の出力は同軸ケーブルなどの伝送媒体を介して利得監視部１０６に入力される。屋外受信部１０４は、帯域制限フィルタ１０８、ミキサ１１０、パイロット信号生成部１１２および低雑音増幅器１１４を備えている。利得監視部１０６は、分配部１１６、パイロット信号抽出部１１８および利得判定部１２０を備えている。
【００２６】
次いで、上記構成を有する基地局装置１００の動作について説明する。
【００２７】
基地局装置１００は、アンテナ１０２で、中心周波数ｆ０（たとえば、１．９ＧＨｚ）を有する周波数帯域の信号を受信する。この受信信号のスペクトラム分布図は、図２（Ａ）に示すとおりである。そして、受信信号を帯域制限フィルタ１０８へ送る。それから、帯域制限フィルタ１０８で、受信信号の特定帯域のみを通過させ、ミキサ１１０へ出力する。
【００２８】
そして、パイロット信号生成部１１２で、受信信号の周波数帯域の中心周波数ｆ０と同一の中心周波数ｆ０を有するパイロット信号を生成し、ミキサ１１０へ出力する。生成されたパイロット信号のスペクトラム分布図は、図２（Ｂ）に示すとおりである。なお、パイロット信号の中心周波数を受信信号の周波数帯域の中心周波数ｆ０と同じにすることで、後述するように復調後にパイロット信号に対応する信号成分を除去することが可能になり、パイロット信号が妨害波として受信信号に対してもたらす弊害を除去することができ、パイロット信号を利用することによる受信感度への影響をなくすことができる。
【００２９】
そして、ミキサ１１０で、パイロット信号を受信信号と混合する。パイロット信号と混合された受信信号のスペクトラム分布図は、図２（Ｃ）に示すとおりである。
【００３０】
そして、低雑音増幅器１１４で、所定の信号処理を行う。すなわち、パイロット信号と混合された受信信号を増幅する。
【００３１】
そして、分配部１１６で、パイロット信号が混合された受信信号を分配し、分配された受信信号の一方をパイロット信号抽出部１１８へ、もう一方を後段の復調部（図示せず）へ出力する。
【００３２】
そして、パイロット信号抽出部１１８で、分配された受信信号からパイロット信号に対応する信号成分を抽出する。
【００３３】
そして、利得判定部１２０で、抽出された信号成分の利得を測定し、測定された利得を所定の閾値と比較する。このようにして、低雑音増幅器１１４の異常を検出する。たとえば、測定された利得が閾値未満である場合、低雑音増幅器１１４の異常が発生したと判断される。
【００３４】
このように、実施の形態１によれば、受信信号の周波数帯域内に中心周波数ｆ０を有するパイロット信号を用いて低雑音増幅器１１４に対する異常監視を行うため、パイロット信号を用いた異常監視を受信信号の周波数帯域内で行うことができ、低雑音増幅器１１４の周波数特性に依存することなく、監視精度を向上することができる。
【００３５】
（実施の形態２）
図３は、本発明の実施の形態２に係る基地局装置の構成を示すブロック図である。なお、図３に示す基地局装置２００は、図１に示す基地局装置１００と同様の基本的構成を有しており、同一の構成要素には同一の参照符号を付し、その説明を一部省略する。
【００３６】
実施の形態２における基地局装置２００の特徴は、屋内受信部内に設けられた低雑音増幅器の異常監視を行うだけでなく、後段の復調部内に設けられた低雑音増幅器の異常監視も行うようにしたことである。
【００３７】
図３に示す基地局装置２００は、アンテナ１０２、屋外受信部１０４、利得監視部１０６および復調部２０２を備えている。アンテナ１０２、屋外受信部１０４および利得監視部１０６を含む部分は、実施の形態１において説明した基地局装置１００と同一の構成を有する。復調部２０２は、低雑音増幅器２０４、帯域制限フィルタ２０６、分配部２０８、パイロット信号抽出部２１０および利得判定部２１２を備えている。
【００３８】
次いで、上記構成を有する基地局装置２００の動作について説明する。
【００３９】
基地局装置２００は、実施の形態１と同様の動作によって、受信信号の中心周波数ｆ０と同一の中心周波数ｆ０を有するパイロット信号を受信信号と混合し、パイロット信号と混合された受信信号を増幅し、増幅された受信信号を分配し、分配された受信信号の一方に含まれるパイロット信号に対応する信号成分を抽出し、抽出された信号成分の利得を測定し、測定された利得を所定の閾値と比較する。このようにして、低雑音増幅器１１４の異常を検出する。たとえば、測定された利得が閾値未満である場合、低雑音増幅器１１４の異常が発生したと判断される。そして、もう一方の分配された受信信号を、低雑音増幅器２０４に出力する。
【００４０】
そして、低雑音増幅器２０４で、所定の信号処理を行う。すなわち、もう一方の分配された受信信号を増幅する。
【００４１】
そして、帯域制限フィルタ２０６で、増幅された受信信号の特定帯域のみを通過させる。
【００４２】
そして、分配部２０８で、帯域制限フィルタ２０６を通過した受信信号を分配し、分配された受信信号の一方をパイロット信号抽出部２１０へ、もう一方を後段の周波数変換部（図示せず）へ出力する。
【００４３】
そして、パイロット信号抽出部２１０で、分配された受信信号からパイロット信号に対応する信号成分を抽出する。
【００４４】
そして、利得判定部２１２で、抽出された信号成分の利得を測定し、測定された利得を利得判定部１２０で用いられたものと同一の閾値と比較する。このようにして、復調部２０２内に設けられた低雑音増幅器２０４の異常を検出する。たとえば、利得判定部２１２において利得が閾値未満である場合、低雑音増幅器２０４の異常が発生したと判断される。
【００４５】
このように、実施の形態２によれば、受信信号の周波数帯域内に中心周波数ｆ０を有するパイロット信号を用いて複数の低雑音増幅器１１４、２０４に対する異常監視を同時に行うため、パイロット信号を用いた異常監視を受信信号の周波数帯域内で行うことができ、各低雑音増幅器の周波数特性に依存することなく、監視精度を向上することができるとともに、複数の低雑音増幅器１１４、２０４のおのおのに対して異常監視を行うことができる。
【００４６】
また、実施の形態２によれば、パイロット信号の中心周波数ｆ０は常に帯域制限フィルタ２０６通過後の受信信号の周波数帯域内にあるため、パイロット信号は帯域制限フィルタ２０６により除去されず、帯域制限フィルタ２０６の後段に設けられたパイロット信号抽出部２１０でもパイロット信号に対応する信号成分を抽出することができる。したがって、帯域制限フィルタ２０６の後段でも低雑音増幅器２０４に対する異常監視を行うことができ、監視対象を大幅に拡大することができる。
【００４７】
（実施の形態３）
図４は、本発明の実施の形態３に係る基地局装置の構成を示すブロック図である。なお、図４に示す基地局装置３００は、図１に示す基地局装置１００と同様の基本的構成を有しており、同一の構成要素には同一の参照符号を付し、その説明を一部省略する。
【００４８】
実施の形態３における基地局装置３００の特徴は、屋外受信部でパイロット信号と混合された受信信号を復調部で無線周波数帯に周波数変換した後で異常監視を行えるようにしたことである。
【００４９】
図４に示す基地局装置３００は、アンテナ１０２、屋外受信部１０４、利得監視部１０６および復調部２０２を備えている。アンテナ１０２、屋外受信部１０４および利得監視部１０６を含む部分の構成は、図１に示す基地局装置１００と同様である。復調部２０２は、低雑音増幅器２０４、帯域制限フィルタ２０６、局部発振器３０２、ミキサ３０４、低雑音増幅器３０６、帯域制限フィルタ３０８、分配部３１０、パイロット信号抽出部３１２、利得判定部３１４、直交復調部３１６およびコンデンサ３１８、３２０を備えている。
【００５０】
次いで、上記構成を有する基地局装置３００の動作について説明する。
【００５１】
基地局装置３００は、実施の形態１と同様の動作によって、受信信号の中心周波数ｆ０と同一の中心周波数ｆ０を有するパイロット信号を受信信号と混合し、パイロット信号と混合された受信信号を増幅し、増幅された受信信号を分配し、分配された受信信号の一方に含まれるパイロット信号に対応する信号成分を抽出し、抽出された信号成分の利得を測定し、測定された利得を所定の閾値と比較する。このようにして、低雑音増幅器１１４の異常を検出する。たとえば、測定された利得が閾値未満である場合、低雑音増幅器１１４の異常が発生したと判断される。そして、もう一方の分配された受信信号を、低雑音増幅器２０４に出力する。
【００５２】
そして、低雑音増幅器２０４で、もう一方の分配された受信信号を増幅する。
【００５３】
そして、帯域制限フィルタ２０６で、増幅された受信信号の特定帯域のみを通過させる。
【００５４】
そして、局部発振器３０２およびミキサ３０４を含む部分で、帯域制限フィルタ２０６を通過した受信信号を無線周波数帯から中間周波数帯に周波数変換する。
【００５５】
より具体的には、まず、局部発振器３０２で、周波数ｆ１を有するローカル信号を生成し、ミキサ３０４へ出力する。このローカル信号のスペクトラム分布図は、図５（Ａ）に示すとおりである。そして、ミキサ３０４で、局部発振器３０２から出力されたローカル信号と帯域制限フィルタ２０６を通過した受信信号とを混合する。なお、ローカル信号と混合された受信信号は、周波数ｆ０±ｆ１を含む周波数帯域を有し、そのスペクトラム分布図は、図５（Ｂ）に示すとおりである。
【００５６】
そして、低雑音増幅器３０６で、所定の信号処理を行う。すなわち、ローカル信号と混合された受信信号を増幅する。
【００５７】
そして、帯域制限フィルタ３０８で、周波数変換された受信信号の中から中間周波数ｆ０−ｆ１（たとえば、４０５ＭＨｚ）を含む特定帯域のみを通過させる。
【００５８】
そして、分配部３１０で、帯域制限フィルタ３０６通過後の受信信号を分配し、分配された受信信号の一方をパイロット信号抽出部３１２へ、もう一方を直交復調部３１６へ出力する。
【００５９】
そして、パイロット信号抽出部３１２で、一方の分配された受信信号からパイロット信号に対応する信号成分を抽出する。
【００６０】
そして、利得判定部３１４で、抽出された信号成分の利得を測定し、測定された利得を利得判定部１２０で用いられたものと同一の閾値と比較する。このようにして、屋外受信部１０４でパイロット信号と混合された受信信号を中間周波数帯に周波数変換する部分（すなわち、局部発振器３０２およびミキサ３０４）の後段に設けられた低雑音増幅器３０６の異常を検出する。たとえば、利得判定部３１４において利得が閾値未満である場合、低雑音増幅器３０６の異常が発生したと判断される。さらに、利得判定部３１４で、この利得判定の結果を利用して、局部発振器３０２およびミキサ３０４の異常も監視できる。
【００６１】
そして、直交復調部３１６で、もう一方の分配された受信信号を直交復調し、復調信号のＩ成分およびＱ成分を生成する。その際、帯域幅を有する受信信号は交流成分となるのに対し、パイロット信号はその帯域幅の中心周波数であるため直流成分となる。
【００６２】
そして、コンデンサ３１８で、復調信号のＩ成分における直流成分をカットすることによって、パイロット信号を復調信号から除去する。また、コンデンサ３２０で、復調信号のＱ成分における直流成分をカットすることによって、パイロット信号を復調信号から除去する。このようにして、パイロット信号が基地局装置３００の受信感度に影響を与える可能性を排除できる。
【００６３】
このように、実施の形態３によれば、受信信号の周波数帯域内に中心周波数ｆ０を有するパイロット信号を用いて複数の低雑音増幅器１１４、３０６に対する異常監視を同時に行うため、パイロット信号を用いた異常監視を受信信号の周波数帯域内で行うことができ、各低雑音増幅器の周波数特性に依存することなく、監視精度を向上することができるとともに、複数の低雑音増幅器１１４、３０６のおのおのに対して異常監視を行うことができる。しかも、受信信号が中間周波数に変換された後においても異常監視を行うことができる。また、低雑音増幅器１１４、３０６だけでなく局部発振器３０２およびミキサ３０４に対しても異常監視を行うことができ、監視対象を大幅に拡大することができる。
【００６４】
（実施の形態４）
図６は、本発明の実施の形態４に係る基地局装置の構成を示すブロック図である。なお、図６に示す基地局装置４００は、図１に示す基地局装置１００と同様の基本的構成を有しており、同一の構成要素には同一の参照符号を付し、その説明を一部省略する。
【００６５】
実施の形態４における基地局装置４００の特徴は、実施の形態１、実施の形態２および実施の形態３の特徴を同時に実現するようにしたことである。
【００６６】
図６に示す基地局装置４００は、アンテナ１０２、屋外受信部１０４、利得監視部１０６および復調部２０２を備えている。アンテナ１０２、屋外受信部１０４および利得監視部１０６を含む部分は、実施の形態１において説明した基地局装置１００と同一の構成を有する。復調部２０２は、低雑音増幅器２０４、帯域制限フィルタ２０６、分配部２０８、パイロット信号抽出部２１０、利得判定部２１２、局部発振器３０２、ミキサ３０４、低雑音増幅器３０６、帯域制限フィルタ３０８、分配部３１０、パイロット信号抽出部３１２、利得判定部３１４、直交復調部３１６およびコンデンサ３１８、３２０を備えている。
【００６７】
次いで、上記構成を有する基地局装置４００の動作について説明する。
【００６８】
基地局装置４００は、実施の形態１と同様の動作によって、受信信号の中心周波数ｆ０と同一の中心周波数ｆ０を有するパイロット信号を受信信号と混合し、パイロット信号と混合された受信信号を増幅し、増幅された受信信号を分配し、分配された受信信号の一方に含まれるパイロット信号に対応する信号成分を抽出し、抽出された信号成分の利得を測定し、測定された利得を所定の閾値と比較する。このようにして、低雑音増幅器１１４の異常を検出する。たとえば、測定された利得が閾値未満である場合、低雑音増幅器１１４の異常が発生したと判断される。そして、もう一方の分配された受信信号を、低雑音増幅器２０４に出力する。
【００６９】
そして、低雑音増幅器２０４で、所定の信号処理を行う。すなわち、もう一方の分配された受信信号を増幅する。
【００７０】
そして、帯域制限フィルタ２０６で、増幅された受信信号の特定帯域のみを通過させる。
【００７１】
そして、分配部２０８で、帯域制限フィルタ２０６を通過した受信信号を分配し、分配された受信信号の一方をパイロット信号抽出部２１０へ、もう一方をミキサ３０４へ出力する。
【００７２】
そして、パイロット信号抽出部２１０で、分配された受信信号からパイロット信号に対応する信号成分を抽出する。
【００７３】
そして、利得判定部２１２で、抽出された信号成分の利得を測定し、測定された利得を利得判定部１２０で用いられたものと同一の閾値と比較する。このようにして、低雑音増幅器２０４の異常を検出する。たとえば、利得判定部２１２において利得が閾値未満である場合、低雑音増幅器２０４の異常が発生したと判断される。
【００７４】
そして、局部発振器３０２およびミキサ３０４を含む部分で、分配部２０８で分配された受信信号のもう一方を無線周波数帯から中間周波数帯に周波数変換する。
【００７５】
より具体的には、まず、局部発振器３０２で、周波数ｆ１を有するローカル信号を生成し、ミキサ３０４へ出力する。そして、ミキサ３０４で、局部発振器３０２から出力されたローカル信号と分配部２０８で分配された受信信号とを混合する。なお、ローカル信号と混合された受信信号は、周波数ｆ０±ｆ１を含む周波数帯域を有する。
【００７６】
そして、低雑音増幅器３０６で、所定の信号処理を行う。すなわち、ローカル信号と混合された受信信号を増幅する。
【００７７】
そして、帯域制限フィルタ３０８で、周波数変換された受信信号の中から中間周波数ｆ０−ｆ１（たとえば、４０５ＭＨｚ）を含む特定帯域のみを通過させる。
【００７８】
そして、分配部３１０で、帯域制限フィルタ３０８通過後の受信信号を分配し、分配された受信信号の一方をパイロット信号抽出部３１２へ、もう一方を直交復調部３１６へ出力する。
【００７９】
そして、パイロット信号抽出部３１２で、一方の分配された受信信号からパイロット信号に対応する信号成分を抽出する。
【００８０】
そして、利得判定部３１４で、抽出された信号成分の利得を測定し、測定された利得を利得判定部１２０、２１２で用いられたものと同一の閾値と比較する。このようにして、屋外受信部１０４でパイロット信号と混合された受信信号を中間周波数帯に周波数変換する部分（すなわち、局部発振器３０２およびミキサ３０４）の後段に設けられた低雑音増幅器３０６の異常を検出する。たとえば、利得判定部３１４において利得が閾値未満である場合、低雑音増幅器３０６の異常が発生したと判断される。さらに、利得判定部３１４で、この利得判定の結果を利用して、局部発振器３０２およびミキサ３０４の異常も監視できる。
【００８１】
そして、直交復調部３１６で、もう一方の分配された受信信号を直交復調し、復調信号のＩ成分およびＱ成分を生成する。その際、帯域幅を有する受信信号は交流成分となるのに対し、パイロット信号はその帯域幅の中心周波数であるため直流成分となる。
【００８２】
そして、コンデンサ３１８で、復調信号のＩ成分における直流成分をカットすることによって、パイロット信号を復調信号から除去する。また、コンデンサ３２０で、復調信号のＱ成分における直流成分をカットすることによって、パイロット信号を復調信号から除去する。このようにして、パイロット信号が基地局装置４００の受信感度に影響を与える可能性を排除できる。
【００８３】
このように、実施の形態４によれば、受信信号の周波数帯域内に中心周波数ｆ０を有するパイロット信号を用いて複数の低雑音増幅器１１４、２０４、３０６に対する異常監視を同時に行うため、パイロット信号を用いた異常監視を受信信号の周波数帯域内で行うことができ、各低雑音増幅器の周波数特性に依存することなく、監視精度を向上することができるとともに、複数の低雑音増幅器１１４、２０４、３０６のおのおのに対して異常監視を行うことができる。しかも、受信信号が中間周波数に変換された後においても異常監視を行うことができる。また、低雑音増幅器１１４、２０４、３０６だけでなく局部発振器３０２およびミキサ３０４に対しても異常監視を行うことができ、監視対象を大幅に拡大することができる。
【００８４】
【発明の効果】
以上説明したように、本発明によれば、監視精度を向上することができ、かつ、監視対象を大幅に拡大することができる。
【図面の簡単な説明】
【図１】本発明の実施の形態１に係る基地局装置の構成を示すブロック図
【図２】本発明の実施の形態１に係る基地局装置において用いられる信号のスペクトラム分布図
【図３】本発明の実施の形態２に係る基地局装置の構成を示すブロック図
【図４】本発明の実施の形態３に係る基地局装置の構成を示すブロック図
【図５】本発明の実施の形態３に係る基地局装置において用いられる信号のスペクトラム分布図
【図６】本発明の実施の形態４に係る基地局装置の構成を示すブロック図
【符号の説明】
１００、２００、３００、４００　基地局装置
１０２　アンテナ
１０４　屋外受信部
１０６　利得監視部
１０８、２０６、３０８　帯域制限フィルタ
１１０、３０４　ミキサ
１１２　パイロット信号生成部
１１４、２０４、３０６　低雑音増幅器
１１６、２０８、３１０　分配部
１１８、２１０、３１２　パイロット信号抽出部
１２０、２１２、３１４　利得判定部
２０２　復調部
３０２　局部発振器
３１６　直交復調部
３１８、３２０　コンデンサ
【図１】
2004112245.tif 000003
【図２】
2004112245.tif 000004
【図３】
2004112245.tif 000005
【図４】
2004112245.tif 000006
【図５】
2004112245.tif 000007
【図６】
2004112245.tif 000008